(57)【特許請求の範囲】
【請求項１】
被印字媒体に文字や記号等を印字するプリンタにおいて、
当該プリンタの外側面には、複数の嵌合部が形成され、
当該嵌合部に着脱可能に取り付けられ、写真等を保持することができる写真立が設けられていることを特徴とする写真立付きプリンタ。
【請求項２】
前記プリンタの外側面には、非対称な位置に嵌合部が形成され、
前記写真立は、
前記嵌合部に着脱可能に取り付けられるものであって、
中心が開放されたフレームと、
当該フレームの裏面に設けられ、前記プリンタに形成された複数の嵌合部の内、決められた嵌合部に各々嵌合する複数の嵌合突起と、
写真の表面を透視可能に覆う透明パネルと、
当該透明パネルと共に、前記フレームの裏側から前記写真を挟み込む裏側パネルと、
前記嵌合突起の基部に一体に形成され、前記裏側パネルに当接して前記写真を押圧する写真押さえ部と
を備えていることを特徴とする請求項１に記載の写真立付きプリンタ。
【請求項３】
前記裏側パネルは、その一辺に形成された略Ｕ字型に開口した切り欠きを備えていることを特徴とする請求項２に記載の写真立付きプリンタ。
【請求項４】
前記フレームの下端からは、前記フレームに対して直角よりも所定角だけ小さい角度方向へ底部が凸設されており、
当該底部を備えた前記写真立を前記プリンタに取り付けることにより、前記プリンタは、その据置面の垂直方向に対して、前記所定角だけ傾いていることを特徴とする請求項１乃至３の何れかに記載の写真立付きプリンタ。
【請求項５】
前記プリンタの前記写真立が設けられる面上の上部及び下部には、それぞれ突起が設けられていることを特徴とする請求項１乃至４の何れかに記載の写真立付きプリンタ。
【請求項６】
前記プリンタの底部には、前記所定角だけ傾いた状態のプリンタが、前記据置面方向に倒れるのを防止するための突起が設けられていることを特徴とする請求項４に記載の写真立付きプリンタ。
【請求項７】
プリンタの外側面に形成された複数の嵌合部に取り付けられ、プリンタに着脱可能な写真立であって、
中心が開放されたフレームと、
当該フレームの裏面に設けられ、前記プリンタに形成された複数の嵌合部の内、決められた嵌合部に各々嵌合する複数の嵌合突起と、
写真の表面を透視可能に覆う透明パネルと、
当該透明パネルと共に、前記フレームの裏側から前記写真を挟み込む裏側パネルと、
前記嵌合突起の基部に一体に形成され、前記裏側パネルに当接して前記写真を押圧する写真押さえ部と
を備えていることを特徴とするプリンタに着脱可能な写真立。
【請求項８】
前記裏側パネルは、その一辺に形成された略Ｕ字型に開口した切り欠きを備えていることを特徴とする請求項７に記載のプリンタに着脱可能な写真立。
【請求項９】
前記フレームの下端からは、前記フレームに対して直角よりも所定角だけ小さい角度方向へ底部が凸設されていることを特徴とする請求項７又は８に記載のプリンタに着脱可能な写真立。
【発明の詳細な説明】
【０００１】
【発明の属する技術分野】
本発明は、プリンタに関し、詳細には、写真立が脱着可能に取り付けられた写真立付きプリンタ及びプリンタに着脱可能な写真立に関する。
【０００２】
【従来の技術】
従来、巻回されたテープを引き出し、当該テープに文字や記号等を印字する機能を持つ小型のプリンタは、会社や事務所及び学校等で広く使われている。そして、このプリンタにより文字や記号等が印字されたテープをＯＡ機器や文房具等に貼り付けて使用している。また、このプリンタは小型であるため、会社や事務所及び学校等で、机の上に載置されて使用されることが多い。
【０００３】
【発明が解決しようとする課題】
しかしながら、会社や事務所等では、それぞれの机の上に、家族や友人の写真等を飾ることが多い。そのため、机の上にプリンタが置かれていると、プリンタが小型であっても、メモやレポート作成等のための作業スペースが狭くなったり、キーボードやマウス、及び書物や文房具等を置くスペースが狭くなるという問題点があった。
【０００４】
本発明は、上記課題を解決するためになされたものであり、写真等を飾ることができ、また、設置スペースを小さくすることができる写真立付きプリンタ及びプリンタに着脱可能な写真立を提供することを目的とする。
【０００５】
【課題を解決するための手段】
上記目的を達成するための請求項１に係る発明の写真立付きプリンタでは、被印字媒体に文字や記号等を印字するプリンタにおいて、当該プリンタの外側面には、複数の嵌合部が形成され、当該嵌合部に着脱可能に取り付けられ、写真等を保持することができる写真立が設けられていることを特徴とする構成となっている。
【０００６】
この構成の写真立付きプリンタでは、プリンタに写真立が着脱可能に設けられており、机上等にプリンタと写真立とを載置したいときには、それぞれを別個に載置する必要が無いので、机上等の空間を有効に利用することができる。
【０００７】
また、請求項２に係る発明の写真立付きプリンタでは、請求項１に記載の写真立付きプリンタの構成に加えて、前記プリンタの外側面には、非対称な位置に嵌合部が形成され、前記写真立は、前記嵌合部に着脱可能に取り付けられるものであって、中心が開放されたフレームと、当該フレームの裏面に設けられ、前記プリンタに形成された複数の嵌合部の内、決められた嵌合部に各々嵌合する複数の嵌合突起と、写真の表面を透視可能に覆う透明パネルと、当該透明パネルと共に、前記フレームの裏側から前記写真を挟み込む裏側パネルと、前記嵌合突起の基部に一体に形成され、前記裏側パネルに当接して前記写真を押圧する写真押さえ部とを備えていることを特徴とする。
【０００８】
この構成の写真立付きプリンタでは、請求項１に記載の発明の作用に加えて、プリンタの外側面には、非対称な位置に嵌合部が形成されており、写真立のフレームの裏側に形成された複数の嵌合突起は、前記嵌合部の内、決められた嵌合部に各々嵌合するので、写真立は、プリンタの所定の面に所定の向きで取り付けられる。従って、写真立が、プリンタの誤った面に取り付けられるのを防止でき、またプリンタに誤った向きで取り付けられるのを防止することができる。
【０００９】
また、請求項３に係る発明の写真立付きプリンタでは、請求項２に記載の写真立付きプリンタの構成に加えて、前記裏側パネルは、その一辺に形成された略Ｕ字型に開口した切り欠きを備えていることを特徴とする。
【００１０】
この構成の写真立付きプリンタでは、請求項２に記載の発明の作用に加えて、写真立のフレームに設けられ、写真の表面を透視可能に覆う透明パネルと共に、写真を挟み込む裏側パネルの一辺には略Ｕ字型の切り欠きが形成されているので、当該切り欠きに指を入れて写真を引き出し、写真立から容易に取り出すことができる。
【００１１】
また、請求項４に係る発明の写真立付きプリンタでは、請求項１乃至３の何れかに記載の写真立付きプリンタの構成に加えて、前記フレームの下端からは、前記フレームに対して直角よりも所定角だけ小さい角度方向へ底部が凸設されており、当該底部を備えた前記写真立を前記プリンタに取り付けることにより、前記プリンタは、その据置面の垂直方向に対して、前記所定角だけ傾いていることを特徴とする。
【００１２】
この構成の写真立付きプリンタでは、請求項１乃至３の何れかに記載の発明の作用に加えて、写真立は、そのフレームの下端から、フレームに対して直角より所定角だけ小さい角度をなして底部が凸設されており、前記写真立がプリンタに取り付けられることにより、プリンタは、その据置面の垂直方向に対して所定角だけ傾いた状態となるので、写真立に飾られた写真等は、それを見る人にとってより見やすい状態で写真立に保持される。
【００１３】
また、請求項５に係る発明の写真立付きプリンタでは、請求項１乃至４の何れかに記載の写真立付きプリンタの構成に加えて、前記プリンタの前記写真立が設けられる面上の上部及び下部には、それぞれ突起が設けられていることを特徴とする。
【００１４】
この構成の写真立付きプリンタでは、請求項１乃至４の何れかに記載の発明の作用に加えて、プリンタの外側面の内、写真立が設けられる面上の上部及び下部には、それぞれ突起が設けられているので、写真立に保持された写真が上下方向にずれるのを防止することができる。
【００１５】
また、請求項６に係る発明の写真立付きプリンタでは、請求項４に記載の写真立付きプリンタの構成に加えて、前記プリンタの底部には、前記所定角だけ傾いた状態のプリンタが、前記据置面方向に倒れるのを防止するための突起が設けられていることを特徴とする。
【００１６】
この構成の写真立付きプリンタでは、請求項４に記載の発明の作用に加えて、プリンタの底部に設けられた突起により、所定角だけ傾いた状態のプリンタが、プリンタの据置面方向に倒れるのを防止することができる。
【００１７】
また、請求項７に係る発明のプリンタに着脱可能な写真立は、プリンタの外側面に形成された複数の嵌合部に取り付けられるものであって、中心が開放されたフレームと、当該フレームの裏面に設けられ、前記プリンタに形成された複数の嵌合部の内、決められた嵌合部に各々嵌合する複数の嵌合突起と、写真の表面を透視可能に覆う透明パネルと、当該透明パネルと共に、前記フレームの裏側から前記写真を挟み込む裏側パネルと、前記嵌合突起の基部に一体に形成され、前記裏側パネルに当接して前記写真を押圧する写真押さえ部とを備えていることを特徴とする構成となっている。
【００１８】
この構成のプリンタに着脱可能な写真立では、プリンタの外側面には、非対称な位置に嵌合部が形成されており、写真立のフレームの裏側に形成された複数の嵌合突起は、前記嵌合部の内、決められた嵌合部に各々嵌合するので、写真立は、プリンタの所定の面に所定の向きで取り付けられる。従って、写真立が、プリンタの誤った面に取り付けられるのを防止でき、またプリンタに誤った向きで取り付けられるのを防止することができる。
【００１９】
また、請求項８に係る発明のプリンタに着脱可能な写真立では、請求項７に記載のプリンタに着脱可能な写真立の構成に加えて、前記裏側パネルは、その一辺に形成された略Ｕ字型に開口した切り欠きを備えていることを特徴とする。
【００２０】
この構成のプリンタに着脱可能な写真立では、請求項７に記載の発明の作用に加え、写真立のフレームに設けられ、写真の表面を透視可能に覆う透明パネルと共に写真を挟み込む裏側パネルの一辺には、略Ｕ字型の切り欠きが形成されているので、当該切り欠きに指を入れて写真を引き出し、写真立から容易に取り出すことができる。
【００２１】
また、請求項９に係る発明のプリンタに着脱可能な写真立では、請求項７又は８に記載のプリンタに着脱可能な写真立の構成に加えて、前記フレームの下端からは、前記フレームに対して直角よりも所定角だけ小さい角度方向へ底部が凸設されていることを特徴とする。
【００２２】
この構成のプリンタに着脱可能な写真立では、請求項７又は８に記載の発明の作用に加え、写真立のフレームの下端から、フレームに対して直角より所定角だけ小さい角度をなして底部が凸設されており、前記写真立がプリンタに取り付けられることにより、プリンタは、その据置面の垂直方向に対して所定角だけ傾いた状態となるので、写真立に飾られた写真等は、それを見る人にとってより見やすい状態で写真立に保持される。
【００２３】
【発明の実施の形態】
以下、本発明の写真立付きプリンタの一実施の形態について図面を参照して説明する。本実施の形態では、テーププリンタに写真立を取り付けて構成された写真立付きプリンタを例に挙げて説明する。まず、図１を参照して、写真立付きプリンタ１の外観構造について説明する。ここで図１は、テーププリンタ３と、テーププリンタ３に脱着可能に取り付けられた写真立２とから構成される写真立付きプリンタ１を示す斜視図である。
【００２４】
図１に示すように、写真立付きプリンタ１は、テーププリンタ３に写真立２が取り付けられて構成される。テーププリンタ３は、上面４ａと底面４ｂ（図５参照）と左側面４ｃ（図２参照）と前面４ｄと背面４ｅ（図４参照）の５つの外側面を有する筐体４を備えており、図示しないが、筐体４の右側面側は開放されている。また、開放された右側面側には、カバー５が回動可能に設けられており、カバー５が閉まることにより、右側面側の開放部（図示外）が覆われるようになっている。また、筐体４内には、後述するモータ駆動回路７２やテープ送りモータ７３（図６参照）等が内蔵され、それら各回路及び機構を内蔵した筐体４とカバー５とから、テーププリンタ３は構成されている。そして、テーププリンタ３を使って、図示外のテープカートリッジ内に巻回されたテープを引き出して、当該テープに文字や記号等を印字することができる。尚、テープカートリッジは、前記カバー５を開いてテーププリンタ３の内部に脱着可能に装填される。
【００２５】
また、写真立２は、上枠部７ａと下枠部７ｂと左枠部７ｃと右枠部７ｄとからなる略長方形のフレーム７と、フレーム７の下枠部７ｂから、図１のＹ方向へ向かって凸設された底部８とから構成されている。そして、写真立２は、テーププリンタ３の左側面４ｃを覆うように、テーププリンタ３に取り付けられるようになっている。また、テーププリンタ３に取り付けられた写真立２には、写真や小型のカレンダー等が飾られることになる。
【００２６】
次に、図２乃至図４を参照して、テーププリンタ３の外観構造について説明する。テーププリンタ３の筐体４は、合成樹脂材料で成形されている。図２乃至図４に示すように、テーププリンタ３は、上面４ａと底面４ｂと左側面４ｃと前面４ｄと背面４ｅの５つの外側面を有する筐体４を備えており、図示しないが、筐体４の右側面側は開放されている。また、開放された右側面側には、カバー５が回動可能に設けられており、カバー５が閉まることにより、右側面側の開放部（図示外）がカバー５に覆われることになる。また、カバー５の前面４ｄ側の側縁には、凸部５ａが形成されており、当該凸部５ａを図２の右側へ押すことにより、カバー５を簡単に開けられるようになっている。各々の面は、何れも一対の辺が外側に緩やかに膨らんだ円弧状となった略長方形形状を有しており、上面４ａと底面４ｂ、前面４ｄと背面４ｅ、さらに左側面４ｃとカバー５は、それぞれが対称形状となっている。そして、筐体４内には、後述するモータ駆動回路７２やテープ送りモータ７３（図６参照）等が内蔵されており、それら各回路及び機構により、筐体４内に装着されたテープカートリッジからテープ（図示外）が引き出され、そのテープに文字や記号等が印字されることになる。
【００２７】
また、図３に示すように、筐体４の前面４ｄの下部には、テーププリンタ３の内方へ窪んだ窪み部１７が形成されており、当該窪み部１７に指等を入れると、カバー５に形成された凸部５ａを図３の右側へ押しやすくなるので、カバー５を簡単に開けることができる。この窪み部１７の底部には、図示外のテープを引き出すためのテープ出口１０が設けられており、テープ出口１０は、略長方形の貫通孔である。また、図示しないが、筐体４内のテープ出口１０近傍には、テープを切断するためのテープカッターが設けられており、テープ出口１０から引き出されたテープを、前記テープカッターにより適当な長さで切断できるようになっている。さらに、筐体４の前面４ｄの左側には、前面４ｄの上端部から下端部に渡って、その長手方向と略平行に嵌合溝１１が設けられている。この嵌合溝１１には、後述する写真立２のフレーム７に形成された係止突起２１，２２（図７参照）が嵌合することになる。
【００２８】
また、図４に示すように、筐体４の背面４ｅの右側には、上から、盗難防止のチェーン（図示外）を引っ掛けるためのチェーンフック３１、テーププリンタ３をパソコン等にＵＳＢケーブルで接続する際に、ＵＳＢのタイプＢコネクタが嵌合するタイプＢポート３２、テーププリンタ３に電源を供給するための電源プラグを差し込むジャック３３が上下一列に並んで配設されている。また、それらの右側には、上部に嵌合溝１２が、下部に嵌合溝１３が設けられており、当該嵌合溝１２，１３に、後述する写真立２のフレーム７に形成された係止突起２３，２４（図７参照）がそれぞれ嵌合することになる。また、カバー５は、背面４ｅ側で回動可能に保持されて、筐体４の右側面側の開放部を覆うようになっている。
【００２９】
また、図５に示すように、筐体４の底面４ｂには、突起形状の４つの脚部６１〜６４が設けられており、脚部６１〜６４は、底部４ｂを正面視したときに、それぞれが底部４ｂの４角に均等に配置するように設けられている。そして、脚部６１〜６４により、テーププリンタ３が据置面７５（図１０参照）に対して直立可能となる。さらに、筐体４の右側面側（図５の下側）に設けられたカバー５の底面５ａの中央には、突起６が設けられている。この突起６により、図１０に示すように、写真立２がテーププリンタ３の左側面４ｃに取り付けられた際、前記据置面７５に対して右側面側に傾いた状態のテーププリンタ３が、図１０の右側へ倒れるのを防止できるようになっている。
【００３０】
また、図２に示すように、筐体４の上面４ａには、電源ボタン４１、テープカットボタン４２、ＬＥＤ４３が設けられている。電源ボタン４１とＬＥＤ４３は、上面４ａの長手方向中央に並んで設けられ、テープカットボタン４２は上面４ａの前面４ｄ側に設けられている。そして、プリンタ３の電源が入っていない状態で、電源ボタン４１を押すと、電源がＯＮになり、電源ボタン４１を所定時間以上押すと、筐体４内に格納されたテープ（図示外）が送られて、当該テープの撓み等を解消することができる。また、テープカットボタン４２を押すと、筐体４内のテープ出口１０近傍に設けられたテープカッター（図示外）により、送られてテープ出口１０を通過したテープは、適当な長さで、その送り方向と略垂直に切断されることになる。
【００３１】
さらに、筐体４の左側面４ｃには、背の低い略直方体の突起５１〜５４が設けられており、突起５１，５３は上部の同じ高さの位置に、突起５２，５４は下部の同じ高さの位置にそれぞれ設けられている。突起５１〜５４は、左側面４ｃを正面視したときに、それぞれが左側面４ｃの４角に均等に配置するように設けられている。これにより、後述する写真立２をテーププリンタ３に取り付けた状態で、写真立２に保持された写真２０が上下方向へずれるのを防止できるようになっている。
【００３２】
次に、図６を参照して、テーププリンタ３の電気的概略構成について説明する。図６は、テーププリンタ３の電気的構成を示すブロック図である。図６に示すように、テーププリンタ３には、テーププリンタ３全体の制御を司るＣＰＵ８０が設けられ、ＣＰＵ８０には、データを一時的に記憶するＲＡＭ８１及び各種の制御プログラムを記憶したＲＯＭ８２が接続されている。また、ＣＰＵ５０には、Ｉ／ＯバスＢ１を介して、印字ヘッド駆動回路７０とモータ駆動回路７２とが接続され、印字ヘッド駆動回路７０には印字ヘッド７１が、モータ駆動回路７２にはテープ送りモータ７３が、それぞれ接続されている。さらに、ＣＰＵ５０には、Ｉ／ＯバスＢ１を介してＵＳＢ端子８５が接続されており、ＵＳＢ端子８５に図示外のＵＳＢケーブルを接続し、ＵＳＢケーブルを介してテーププリンタ３を図示外のパソコン等に接続できるようになっている。
【００３３】
次に、図７乃至図９を参照して、写真立２の構造について説明する。ここで図７は、写真立２を表側から見た斜視図である。写真立２は、合成樹脂材料で成形されている。図７に示すように、写真立２は、上枠部７ａと下枠部７ｂと左枠部７ｃと右枠部７ｄとからなる略長方形のフレーム７を備えている。フレーム７は、その中心部が略長方形に開放されており、上枠部７ａと下枠部７ｂとが長手方向となっている。また、上枠部７ａの表面７ａ１は、その長手方向中央部から左右両端に向かって、表側が凸面の緩やかに湾曲した形状となっており、下枠部７ｂの表面７ｂ１も同様の形状となっている。また、それにより、左枠部７ｃの表面７ｃ１は、図７での右側端から左側端に向かって緩やかに湾曲しており、右枠部７ｄの表面７ｄ１は、図７での左側端から右側端に向かって緩やかに湾曲している。そして、フレーム７の下枠部７ｂからは、写真立２の裏側へ向かって底部８が凸設されている。
【００３４】
底部８は、図１０に示すように、その底面８ｂが、フレーム７に対してフレーム７の裏側（図１０での右側）へ直角よりも小さい角度を形成するように凸設されており、その底面８ｂが据置面７５に平行となるので、左側面４ｃに写真立２が取り付けられたテーププリンタ３は、据置面７５に対して右側面側へ傾いた状態となる。また、図８に示すように、底部８の上面８ａの左側端部（図８の右側）及び右側端部（図８の左側）には、それぞれ切り欠かれた形状の凹部８ａ１が形成されている。これは、写真立２をテーププリンタ３に取り付ける際に、底部８の上面８ａに、テーププリンタ３の筐体４の底面４ｂに設けられた脚部６１，６２が引っ掛からないようにするためのものである。
【００３５】
また、図８に示すように、フレーム７の左枠部７ｃの裏側からは、係止突起２３，２４が凸設されている。詳細には、左枠部７ｃの上部に係止突起２３、下部に係止突起２４がそれぞれ設けられており、各々の係止突起は、左枠部７ｃの上下中央部に対して上下対称な位置に設けられている。また、右枠部７ｄの裏側からは、係止突起２１，２２が凸設されている。詳細には、右枠部７ｄの上部に係止突起２１が設けられ、下部に係止突起２２が設けられており、係止突起２１は係止突起２３と略同一の高さの位置に、係止突起２２は右枠部７ｄの下端部近傍の位置にそれぞれ設けられている。
【００３６】
また、各々の突起は略同一形状となっており、その内の一つである係止突起２１は、図１１に示すように、基部２１ａと、基部２１ａの先端に形成された爪部２１ｂと、基部からさらに凸設された写真押さえ部２１ｃとからなっている。そして、写真立２をテーププリンタ３に取り付ける際には、基部２１ａが図１１の上方向に撓んで、爪部２１ｂがテーププリンタ３の筐体４の前面４ｄに設けられた嵌合溝１１に嵌合することになる。また、写真立２に保持される写真２０は、その裏側に設けられた厚紙３０を介して、写真押さえ部２１ｃによって裏側から押圧されるようになっている。また、係止突起２１の他の３つ係止突起２２〜２４も、係止突起２１と同様の構造となっている。従って、写真２０は、写真押さえ部２１ｃの他、係止突起２２〜２４に設けられた写真押さえ部（図示外）により裏側から押圧され、写真立２に保持されるようになっている。そして、写真立２をテーププリンタ３に取り付ける際には、他の３つの係止突起に備えられた基部（図示外）が、プリンタ３の外側方向に撓んで、また基部に形成された爪部（図示外）は、それぞれテーププリンタ３の筐体４の前面４ｄ及び背面４ｅに設けられた嵌合溝１１〜１３の内、所定の嵌合溝に嵌合することになる。
【００３７】
また、図８に示すように、写真立２のフレーム７には、略長方形の透明パネル１６が設けられている。透明パネル１６の一部は、図１１に示すように、フレーム７の右枠部７ｄと、その裏側に設けられた係止突起２１との間に挿入され、且つ、透明パネル１６は、その他の各枠部と各係止突起との間に挿入されて写真立２に設けられる。そして、写真立２は、透明パネル１６と略同一の大きさの厚紙３０とで写真２０を挟み込んで、フレーム７の表側から透視可能に写真２０を保持するようになっている。厚紙３０は、略長方形形状を有し、その上辺の中央部が、Ｕ字型の切り欠き３０ａにより切り欠かれた形状となっている。そして、図９及び図１１に示すように、写真２０を、写真立２のフレーム７の右枠部７ｄと係止突起２１との間に挿入し、また図示しないが、それと同時に、右枠部７ｄと係止突起２２との間、左枠部７ｄと係止突起２３，２４との間に写真２０を挿入して、さらに、写真２０の裏側（図１１の右側）から厚紙３０を写真２０と同様に各枠部と各係止突起との間に挿入すれば、写真２０は写真立２に表側から透視可能に保持されることになる。
【００３８】
そして、写真立２をテーププリンタ３の左側面４ｃに取り付けると、底部８の底面８ｂは、フレーム７に対して、直角よりも小さい角度方向に凸設されているので、図１０に示すように、テーププリンタ３はその据置面７５に対して右側面側に傾いた状態となる。その状態で、写真立２の底部８が、写真立２とテーププリンタ３とから構成された写真立付きプリンタ１の底部となる。また、例えば、写真立２をプリンタ３に取り付けることなく、単独で写真等を飾るために使用するときも、写真立２を載置する図示外の載置面、即ち底部８に対して、フレーム７が鋭角方向に傾くことになるので、写真立２に飾られた写真等の表面は、外部に対して見やすい方向を向くことになる。また、図９に示すように、写真２０の裏側に設けられた厚紙３０に上辺にはＵ字型の切り欠き３０ａが形成されているので、当該切り欠き３０ａから指等を入れ、写真２０を持って上側へ抜き出すことができ、透明パネル１６及び厚紙３０を外さなくても、写真２０のみを単独で交換できるようになっている。
【００３９】
次に、以上のようにして構成された写真立２を、テーププリンタ３に取り付けて構成される写真立付きプリンタ１の構造について、図１及び図１０乃至図１２を参照して説明する。図１に示すように、写真立付きプリンタ１は、写真立２が、テーププリンタ３の筐体４の左側面４ｃに覆設されて構成される。写真立２をテーププリンタ３に取り付けるには、まず、写真立２のフレーム７の左枠部７ｃに設けられた係止突起２３，２４（図７参照）を、テーププリンタ３の背面４ｅに設けられた嵌合溝１２，１３（図４参照）にそれぞれ嵌合させた後、フレーム７の右枠部７ｄに設けられた係止突起２１，２２（図７参照）を、テーププリンタ３の前面４ｄに設けられた嵌合溝１１（図３参照）の上部及び下部にそれぞれ嵌合させて、写真立２でテーププリンタ３の筐体４の左側面４ｃを覆う。このとき、左枠部７ｃに設けられた係止突起２３，２４が、それぞれ外側（テーププリンタ３の外側面側）に撓んで嵌合溝溝１２，１３に嵌合し、右枠部７ｄに設けられた係止突起２１，２２が、それぞれ前記外側に撓んで嵌合溝溝１１に嵌合するので、写真立２は、テーププリンタ３に取り付けられた後外れないようにしっかりと固定された状態となる。尚、左枠部７ｃに設けられた係止突起２３，２４及び右枠部７ｄに設けられた係止突起２１，２２は、嵌合する先の嵌合溝は決まっているが、何れの枠部の係止突起から先に対応する嵌合溝に嵌合させても良い。
【００４０】
また、図１０に示すように、このとき、写真立２の底部８と、テーププリンタ３の底面４ｂに設けられた脚部６３及び６４（図示外）とが、据置面７５に接しており、テーププリンタ３は、据置面７５に対して右側面側に傾いた状態となっている。従って、写真立２に保持された写真２０（図９参照）が据置面７５と鋭角をなし、その表面（図１０での左側の面）は外側を向くので、写真２０は、外部からより見やすい方向を向いて写真立２に保持されることになる。また、例えば、テーププリンタ３が右側への力等を受けて右側面側に斜倒しそうになっても、カバー５の底面５ａに設けられた突起６が据置面７５に当接して、その斜倒を防ぐことができるようになっている。
【００４１】
さらに、図１２に示すように、写真２０は、テーププリンタ３の左側面４ｃに設けられた突起５１，５２により、その上方及び下方が塞がれるので、上下方向にずれないようになっている。また、このことは、左側面４ｃに設けられた突起５３，５４についても同様であり、写真２０は、突起５１〜５４により、上下方向にずれないようになっている。
【００４２】
以上説明したように、本実施の形態の写真立付きプリンタ１では、テーププリンタ３に写真立２が取り付けられて、一体となっているので、例えば、机上にテーププリンタ３と写真立２とを個別に置くよりも、机上のスペースを有効に利用することができる。また、写真立２では、その底部８は、フレーム７に対して直角よりも小さい角度方向に凸設されているので、写真立２に保持された写真２０は、テーププリンタ３の据置面７５と鋭角をなし、その表面は外側を向くので、外部からより見やすい状態で写真立２に保持されることになる。そして、テーププリンタ３は、その据置面７５に対して傾いた状態であっても、カバー５の底面５ａに設けられた突起６により、傾き方向へ倒れるのが防止される。さらに、テーププリンタ３の左側面４ｃに設けられた突起５１〜５４により、写真２０が上下方向にずれないようになっている。
【００４３】
また、テーププリンタ３に取り付けられた写真立２を外すには、テーププリンタ３の背面４ｅに設けられた嵌合溝１２，１３に嵌合した係止突起２３，２４を、嵌合溝１２，１３からそれぞれ外し、前面４ｄに設けられた嵌合溝１１に嵌合した係止突起２１，２２を、嵌合溝１１からそれぞれ外し、写真立２をテーププリンタ３から外す。このとき、左枠部７ｃに設けられた係止突起２３，２４が、それぞれ外側（テーププリンタ３の外側面側）に撓んで嵌合溝溝１２，１３から外され、右枠部７ｄに設けられた係止突起２１，２２が、それぞれ前記外側に撓んで嵌合溝溝１１から外される。また、何れの枠部の係止突起を先に嵌合溝から外しても良い。
【００４４】
尚、本発明は前記実施の形態に限定されるものではなく、各種の変形が可能である。例えば、本実施の形態では、写真２０は、その裏側から厚紙３０によって保持され、さらにテーププリンタ３の筐体４の左側面４ｃに設けられた突起５１〜５４により、上下方向にずれないようになっているが、部品点数を削減するために、突起５１〜５４のみで写真２０を裏側から保持しても良い。また、写真立２をテーププリンタ３に取り付けるための嵌合機構も、取り付け方向等を限定する必要がなければ、左右非対称形状のものでなくても良い。さらに、本実施の形態では、テーププリンタを例に挙げたが、写真立を取り付ける対象はテーププリンタに限られず、各種のプリンタを対象とできることは言うまでもない。
【００４５】
【発明の効果】
以上詳述したように、請求項１に係る発明の写真立付きプリンタでは、プリンタに写真立が着脱可能に設けられており、机上等にプリンタと写真立とを載置したいときには、それぞれを別個に載置する必要が無いので、机上等の空間を有効に利用することができる。
【００４６】
また、請求項２に係る発明の写真立付きプリンタでは、請求項１に記載の発明の効果に加え、プリンタの外側面には、非対称な位置に嵌合部が形成されており、写真立のフレームの裏側に形成された複数の嵌合突起は、前記嵌合部の内、決められた嵌合部に各々嵌合するので、写真立は、プリンタの所定の面に所定の向きで取り付けられる。従って、写真立が、プリンタの誤った面に取り付けられるのを防止でき、またプリンタに誤った向きで取り付けられるのを防止することができる。
【００４７】
また、請求項３に係る発明の写真立付きプリンタでは、請求項２に記載の発明の効果に加え、写真立のフレームに設けられ、写真の表面を透視可能に覆う透明パネルと共に、写真を挟み込む裏側パネルの一辺には略Ｕ字型の切り欠きが形成されているので、当該切り欠きに指を入れて写真を引き出し、写真立から容易に取り出すことができる。
【００４８】
また、請求項４に係る発明の写真立付きプリンタでは、請求項１乃至３の何れかに記載の発明の効果に加え、写真立は、そのフレームの下端から、フレームに対して直角より所定角だけ小さい角度をなして底部が凸設されており、前記写真立がプリンタに取り付けられることにより、プリンタは、その据置面の垂直方向に対して所定角だけ傾いた状態となるので、写真立に飾られた写真等は、それを見る人にとってより見やすい状態で写真立に保持される。
【００４９】
また、請求項５に係る発明の写真立付きプリンタでは、請求項１乃至４の何れかに記載の発明の効果に加え、プリンタの外側面の内、写真立が設けられる面上の上部及び下部には、それぞれ突起が設けられているので、写真立に保持された写真が上下方向にずれるのを防止することができる。
【００５０】
また、請求項６に係る発明の写真立付きプリンタでは、請求項４に記載の発明の効果に加え、プリンタの底部に設けられた突起により、所定角だけ傾いた状態のプリンタが、プリンタの据置面方向に倒れるのを防止することができる。
【００５１】
また、請求項７に係る発明のプリンタに着脱可能な写真立では、プリンタの外側面には、非対称な位置に嵌合部が形成されており、写真立のフレームの裏側に形成された複数の嵌合突起は、前記嵌合部の内、決められた嵌合部に各々嵌合するので、写真立は、プリンタの所定の面に所定の向きで取り付けられる。従って、写真立が、プリンタの誤った面に取り付けられるのを防止でき、またプリンタに誤った向きで取り付けられるのを防止することができる。
【００５２】
また、請求項８に係る発明のプリンタに着脱可能な写真立では、請求項７に記載の発明の効果に加え、写真立のフレームに設けられ、写真の表面を透視可能に覆う透明パネルと共に写真を挟み込む裏側パネルの一辺には、略Ｕ字型の切り欠きが形成されているので、当該切り欠きに指を入れて写真を引き出し、写真立から容易に取り出すことができる。
【００５３】
また、請求項９に係る発明のプリンタに着脱可能な写真立では、請求項７又は８に記載の発明の効果に加え、写真立のフレームの下端から、フレームに対して直角より所定角だけ小さい角度をなして底部が凸設されており、前記写真立がプリンタに取り付けられることにより、プリンタは、その据置面の垂直方向に対して所定角だけ傾いた状態となるので、写真立に飾られた写真等は、それを見る人にとってより見やすい状態で写真立に保持される。
【図面の簡単な説明】
【図１】図１は、写真立付きプリンタ１を示す斜視図である。
【図２】図２は、テーププリンタ３を示す斜視図である。
【図３】図３は、テーププリンタ３を示す正面図である。
【図４】図４は、テーププリンタ３を示す背面図である。
【図５】図５は、テーププリンタ３を示す底面図である。
【図６】図６は、テーププリンタ３の電気的概略構成を示すブロック図である。
【図７】図７は、写真立２を示す斜視図である。
【図８】図８は、写真立２を示す斜視図である。
【図９】図９は、写真立２が写真２０を保持した状態を示す斜視図である。
【図１０】図１０は、写真立付きプリンタ１を示す正面図である。
【図１１】図１１は、図１０のＢ−Ｂ線矢視方向断面図である。
【図１２】図１２は、図１のＡ−Ａ線矢視方向断面図である。
【符号の説明】
１    写真立付きプリンタ
２    写真立
３    テーププリンタ
４    筐体
５    カバー
６    突起
７    フレーム
８    底部
１１    嵌合溝
１２    嵌合溝
１３    嵌合溝
１６    透明パネル
２０    写真
２１，２２，２３，２４    嵌合突起
２１ａ  基部
２１ｂ  爪部
２１ｃ  写真押さえ部
３０    厚紙
３０ａ  切り欠き
【図１】
0004569054.tif 000002
【図２】
0004569054.tif 000003
【図３】
0004569054.tif 000004
【図４】
0004569054.tif 000005
【図５】
0004569054.tif 000006
【図６】
0004569054.tif 000007
【図７】
0004569054.tif 000008
【図８】
0004569054.tif 000009
【図９】
0004569054.tif 000010
【図１０】
0004569054.tif 000011
【図１１】
0004569054.tif 000012
【図１２】
0004569054.tif 000013